(57)【要約】【課題】立ち入りが制限されている区域へ入退場する入場者および車両／機械と、入場者および車両／機械の立入許可証を一元管理するとともに、効率的かつ確実に不正入場を防止することが可能な、立入制限区域の入退場管理システムを提供する。【解決手段】入場者コードと立入者許可証コードとを読み取って、入場者の情報と立入者許可証の情報とを紐付けする情報連結手段（５）と、入場者が立入制限区域を入退場する入場ゲートおよび退場ゲートに配置されるとともに、入場者が所持する立入者許可証コードを読み取って、入場者の情報と立入者許可証の情報とを情報格納手段から取得して表示する連結情報表示手段（６）とを備えることを特徴とする。【選択図】図１
2019023841.tif 000002
【特許請求の範囲】
【請求項１】
入場者の情報と立入者許可証の情報とを入力する情報入力手段と、
前記情報入力手段により入力された前記入場者の情報と前記立入者許可証の情報とを格納するとともに、当該入場者の情報と立入者許可証の情報とにそれぞれ対応して入場者コードと立入者許可証コードとを生成して格納する情報格納手段と、
前記情報格納手段によって生成された前記入場者コードと前記立入者許可証コードをそれぞれ印刷するコード印刷手段と、
前記コード印刷手段により印刷された前記入場者コードと前記立入者許可証コードとを読み取って、前記入場者の情報と前記立入者許可証の情報とを紐付けして前記情報格納手段に紐付け情報を格納する情報連結手段と、
前記入場者が立入制限区域を入退場する入場ゲートおよび退場ゲートに配置されるとともに、当該入場者が所持する前記立入者許可証コードを読み取って、前記入場者の情報と前記立入者許可証の情報とを前記情報格納手段から取得して表示する連結情報表示手段と、
を備えることを特徴とする立入制限区域の入退場管理システム。
【請求項２】
入場者の情報と入場車両の情報と立入者許可証の情報と立入車両許可証の情報とを入力する情報入力手段と、
前記情報入力手段により入力された前記入場者の情報と前記入場車両の情報と前記立入者許可証の情報と前記立入車両許可証の情報とを格納するとともに、当該入場者の情報と入場車両の情報と立入者許可証の情報と立入車両許可証の情報とにそれぞれ対応して入場者コードと入場車両コードと立入者許可証コードと立入車両許可証コードとを生成して格納する情報格納手段と、
前記情報格納手段によって生成された前記入場者コードと前記入場車両コードと前記立入者許可証コードと前記立入車両許可証コードをそれぞれ印刷するコード印刷手段と、
前記コード印刷手段により印刷された前記入場者コードと前記入場車両コードと前記立入者許可証コードと前記立入車両許可証コードとを読み取って、前記入場者の情報と前記入場車両の情報と前記立入者許可証の情報と前記立入車両許可証の情報とを紐付けして前記情報格納手段に紐付け情報を格納する情報連結手段と、
前記入場者および前記入場車両が立入制限区域を入退場する入場ゲートおよび退場ゲートに配置されるとともに、当該入場者が所持する前記立入者許可証コードを読み取って、前記入場者の情報と前記入場車両の情報と前記立入者許可証の情報と前記立入車両許可証の情報とを前記情報格納手段から取得して表示する連結情報表示手段と、
を備えることを特徴とする立入制限区域の入退場管理システム。
【請求項３】
前記入場者の情報には顔画像が含まれるとともに前記連結情報表示手段には当該顔画像が表示されて、前記入場ゲートおよび前記退場ゲートにおいて入場者本人の顔と照合される
請求項１または２に記載の立入制限区域の入退場管理システム。
【請求項４】
前記コード印刷手段は二次元コードを印刷可能であり、
前記情報連結手段および前記連結情報表示手段は前記二次元コードを読み取り可能な二次元コード読取手段を備えている
請求項１〜３のいずれかに記載の立入制限区域の入退場管理システム。
【発明の詳細な説明】
【技術分野】
【０００１】
本発明は、許可なく人や車両等の立ち入りが禁止されている立入制限区域の入退場管理システムに関する。
【背景技術】
【０００２】
従来、労務管理や防犯・安全管理の面から、建設現場などにおける作業員の入退場を管理するため、作業員にＩＣカードや磁気カードを発行して携帯させ、建設現場への入退場時に作業員が携帯するＩＣカードや磁気カードから個別情報を読み取ることによって作業員の入退場が管理されていた。
【０００３】
また、先行技術として特許文献１には、建設現場の入退場管理システムにおいて、作業員の個人データおよび顔画像をサーバに蓄積し、入場時の撮影手段を用いた顔認証により入場を許可することで、作業員の成りすましや、ＩＣカード等を携帯することの煩わしさを抑制する発明が記載されている。
【先行技術文献】
【特許文献】
【０００４】
【特許文献１】特開２０１６−０５８０１５号公報
【発明の概要】
【発明が解決しようとする課題】
【０００５】
しかしながら、空港施設など、特にテロの標的となり易い重要施設の立入制限区域内に作業現場がある場合には、多くの作業員のみならず、立入制限区域を出入りする工事車両や工事用機械についても徹底した入退場管理が求められ、前述した従来の入退場システムでは、セキュリティ面および運用面で十分に対応できない。
【０００６】
また、例えば、空港施設の立入制限区域内は、図１５に示されるように、車両／機械の運転手を含む入場者は立入制限区域の管理者である空港長から承認された「人員許可証（腕章型人員許可証を含む）」を携帯し、立入制限区域内に入場する車両や機械は「車両許可証」と「標識旗」を常に掲示しなければならないが、上記各許可証等が強奪、盗難等により不正に入手され、成りすましによって不正に人員や車両が立入制限区域内に入場する危険性がある。
【０００７】
そこで、本願発明は、立ち入りが制限されている区域へ入退場する入場者および車両／機械と、入場者および車両／機械の立入許可証を一元管理するとともに、効率的かつ確実に不正入場を防止することが可能な、立入制限区域の入退場管理システムを提供することを目的とする。
【課題を解決するための手段】
【０００８】
（１）入場者の情報（氏名、顔画像他）と立入者許可証の情報（人員許可証４０の許可番号３６）とを入力する情報入力手段（管理ＰＣ２）と、前記情報入力手段により入力された前記入場者の情報と前記立入者許可証の情報とを格納するとともに、当該入場者の情報と立入者許可証の情報とにそれぞれ対応して入場者コード（入場者コードシール２０の二次元コード３３）と立入者許可証コード（人員許可証コードシール２２の二次元コード３３）とを生成して格納する情報格納手段（クラウドサーバ１００）と、前記情報格納手段によって生成された前記入場者コードと前記立入者許可証コードをそれぞれ印刷するコード印刷手段（コード印字装置４）と、前記コード印刷手段により印刷された前記入場者コードと前記立入者許可証コードとを読み取って、前記入場者の情報と前記立入者許可証の情報とを紐付けして前記情報格納手段に紐付け情報を格納する情報連結手段（管理タブレット端末５）と、前記入場者が立入制限区域を入退場する入場ゲートおよび退場ゲートに配置されるとともに、当該入場者が所持する前記立入者許可証コードを読み取って、前記入場者の情報と前記立入者許可証の情報とを前記情報格納手段から取得して表示する連結情報表示手段（ゲートタブレット端末６）と、を備えることを特徴とする立入制限区域の入退場管理システム。
【０００９】
上記（１）の構成によれば、生成された入場者コードと立入者許可証コードとが紐付けされて本システムに登録されるので、入場ゲートおよび退場ゲートで上記立入者許可証コードを読み取ることで入場者の情報を即座に取得して本人確認をすることができる。
【００１０】
（２）入場者の情報（氏名、顔画像他）と入場車両の情報（登録番号他）と立入者許可証の情報（人員許可証４０の許可番号３６）と立入車両許可証の情報（車両許可証４３の許可番号３７）とを入力する情報入力手段（管理ＰＣ２）と、前記情報入力手段により入力された前記入場者の情報と前記入場車両の情報と前記立入者許可証の情報と前記立入車両許可証の情報とを格納するとともに、当該入場者の情報と入場車両の情報と立入者許可証の情報と立入車両許可証の情報とにそれぞれ対応して入場者コード（入場者コードシール２０の二次元コード３３）と入場車両コード（車両／機械コードシール２１の二次元コード３３）と立入者許可証コード（人員許可証コードシール２２の二次元コード３３）と立入車両許可証コード（車両許可証コードシール２３の二次元コード３３）とを生成して格納する情報格納手段（クラウドサーバ１００）と、前記情報格納手段によって生成された前記入場者コードと前記入場車両コードと前記立入者許可証コードと前記立入車両許可証コードをそれぞれ印刷するコード印刷手段（コード印字装置４）と、前記コード印刷手段により印刷された前記入場者コードと前記入場車両コードと前記立入者許可証コードと前記立入車両許可証コードとを読み取って、前記入場者の情報と前記入場車両の情報と前記立入者許可証の情報と前記立入車両許可証の情報とを紐付けして前記情報格納手段に紐付け情報を格納する情報連結手段（管理タブレット端末５）と、前記入場者および前記入場車両が立入制限区域を入退場する入場ゲートおよび退場ゲートに配置されるとともに、入場者が所持する前記立入者許可証コードを読み取って、前記入場者の情報と前記入場車両の情報と前記立入者許可証の情報と前記立入車両許可証の情報とを前記情報格納手段から取得して表示する連結情報表示手段（ゲートタブレット端末６）と、を備えることを特徴とする立入制限区域の入退場管理システム。
【００１１】
上記（２）の構成によれば、上記（１）の構成で得られる効果に加えて、立入制限区域を入退場する車両についても、運転手である入場者の情報と、車両の情報、立入者許可証および立入車両許可証の情報とが全て紐付けされるので、入場者のみならず、入場車両についても確実に入退場管理を行うことが可能である。
【００１２】
（３）前記入場者の情報には顔画像（図１０（ａ）の５８参照）が含まれるとともに前記連結情報表示手段（ゲートタブレット端末６）には当該顔画像が表示されて、前記入場ゲートおよび前記退場ゲートにおいて入場者本人の顔と照合される上記（１）または（２）に記載の立入制限区域の入退場管理システム。
【００１３】
上記（３）の構成によれば、入場ゲートおよび退場ゲートで入場者本人と連結情報表示手段（ゲートタブレット端末６）に表示される顔画像とが照合されるので、確実に成りすましによる不正入場を防ぐことが可能である。
【００１４】
（４）前記コード印刷手段（コード印字装置４）は二次元コード（二次元コード３３）を印刷可能であり、前記情報連結手段（管理タブレット端末５）および前記連結情報表示手段（ゲートタブレット端末６）は前記二次元コードを読み取り可能な二次元コード読取手段（コードスキャナ）を備えている上記（１）〜（３）のいずれかに記載の立入制限区域の入退場管理システム。
【００１５】
上記（４）の構成によれば、コード印刷手段（コード印字装置４）によって二次元コードが印刷され、さらに情報連結手段（管理タブレット端末５）および連結情報表示手段（ゲートタブレット端末６）によって二次元コードの読み取りが行われるため、印刷範囲の省スペース化と良好な読取精度を得ることが可能となる。
【図面の簡単な説明】
【００１６】
【図１】本発明における、システム構成の一例を示す図である。
【図２】本発明における、システム処理フローの一例を示す図である。
【図３】本発明の他の実施形態における、システム処理フローの一例を示す図である。
【図４】本発明における、管理ＰＣのシステム画面遷移態様の一例を示す図である。
【図５】本発明における、管理ＰＣの各処理機能の一例を説明する表である。
【図６】本発明における、タブレット端末のシステム画面遷移態様の一例を示す図である。
【図７】本発明における、タブレット端末の各処理機能の一例を説明する表である。
【図８】本発明における、各識別コード印字媒体の一例を示す平面図である。
【図９】本発明における、各識別コード印字媒体の貼付態様の一例を示す図である。
【図１０】本発明における、入場者と人員許可証とを連結する、連結登録態様の一例を示す図である。
【図１１】本発明における、運転手と車両／機械、人員許可証、車両許可証および標識旗を連結する、連結登録態様の一例を示す図である。
【図１２】本発明における、運転手と車両／機械、人員許可証、車両許可証および標識旗を連結する、連結登録手順を説明する図である。
【図１３】本発明における、運転手と車両／機械、人員許可証、車両許可証および標識旗を連結する、連結登録手順を説明する図である。
【図１４】本発明における、入退場状況一覧の表示態様の一例を示す図である。
【図１５】空港施設の立入制限区域における立入許可証（人員許可証、車両許可証、標識旗）の掲示態様の一例を示す図である。
【発明を実施するための形態】
【００１７】
本発明の立入制限区域の入退場管理システム（以下では、単に「本システム」と表記することがある。）について、以下、空港の立入制限区域内にある作業現場における実施例について図面を参照しつつ説明する。
【００１８】
図１には本システム１のシステム構成が図示されており、本システム１では、インターネット回線２００を通じて、現場事務所と立入制限区域の入退場ゲート、立入制限区域内の作業現場およびサーバが有機的に接続されている。
【００１９】
（現場事務所）
本実施例では、空港の立入制限区域外に現場事務所が設けられ、当該現場事務所内には、本システム１の管理者権限を有する職員が、入場者や入場する車両／機械、立入制限区域の管理者から承認された立入許可証等の情報の入力などに使用する管理ＰＣ２と、一覧表など必要な情報を紙媒体に印刷するプリンタ３と、ＱＲコード（登録商標）などの二次元コードを印刷するコード印字装置４が設置されている。
【００２０】
さらに、現場事務所内には、日々の入退場に関わる登録手続きを行う可搬型の管理タブレット端末５と、当該管理タブレット端末５に有線または無線で接続され、前述の二次元コードを読み取るコードスキャナが配置されている。
【００２１】
（入退場ゲート）
作業現場がある立入制限区域の出入口には警備員が配置されている入退場ゲートが設けられ、当該入退場ゲートには、上記警備員が入退場する入場者や車両／機械の確認作業を行うために使用するゲートタブレット端末６と、当該ゲートタブレット端末６に有線または無線で接続され、前述の二次元コードを読み取るコードスキャナが配置されている。
【００２２】
（作業現場）
立入制限区域内の作業現場には、作業現場の現場監督者等が適時、入場者や車両／機械の入退場状況を確認する場合や、緊急時において入場者数を確認したり、入場者や車両／機械の情報を照会する場合に使用される、現場タブレット端末７が配置されている。
【００２３】
（サーバ）
本実施例では、図１に示されるようにインターネット回線２００で管理ＰＣ２および各タブレット端末が接続されるクラウドサーバ１００が設けられている。当該クラウドサーバは、本システム１内の各種情報が格納されるデータベースとＷｅｂＡＰＩとから構成されており、ＷｅｂＡＰＩが管理ＰＣ２および各タブレット端末からの要求に対応してデータベースへの問い合わせやデータの格納を行っている。なお、クラウドサーバ１００へのアクセス権はパスワードによって設定されており、アクセス権限、管理権限の無い者からの不正なアクセスを防止している。
【００２４】
また、各タブレット端末は携帯電話事業者の通信回線３００を利用して通信する機能を有しており、現場事務所、入退場ゲート、作業現場それぞれの位置や距離に影響を受けることなく、全国どこでも特別な設置工事を必要とすることなくクラウドサーバ１００へアクセスすることが可能である。
【００２５】
以下に、本実施例におけるシステムフローの概要を図２に示されたフロー図にもとづいて説明する。
【００２６】
（１−システム初期設定Ｓ１００）
本システム１による運用を開始するにあたり、現場事務所内に設置された管理ＰＣ２を起動してクラウドサーバ１００にアクセスし、システム利用者（管理権限者およびアクセス権限者）の登録や、作業現場情報などの必要な情報を登録して初期設定を行う。
【００２７】
（２−入場者、車両／機械、立入許可証等のシステム登録Ｓ１１０）
続いて、立入制限区域内の作業現場で作業を予定している入場者、車両／機械の情報を本システム１に登録する。さらに、立入制限区域の管理者から承認された立入許可証の情報を本システム１に登録する。なお、上記立入許可証とは、図１５に示されている「人員許可証」と「車両許可証」、「標識旗」の総称である。また、上記登録される情報は全てクラウドサーバ１００内のデータベースに格納される。
【００２８】
すなわち、入場者の情報を本システム１に登録する際は、図４および図５に示される「入場者マスタ」を起動し、所属会社、氏名、生年月日、顔写真を管理ＰＣ２によって入力し、本システム１に登録する。なお、登録される情報は全てクラウドサーバ１００内のデータベースに格納される。
【００２９】
車両／機械の情報をシステムに登録する際は、図４および図５に示される「入場車両マスタ」を起動し、車両／機械の登録番号（ナンバー）、車両／機械の使用者（管理会社）、種別（大型、小型、機械名など）を管理ＰＣ２によって入力し、本システム１に登録する。なお、登録される情報は全てクラウドサーバ１００内のデータベースに格納される。
【００３０】
続いて、立入制限区域の管理者から承認された「人員許可証」および「車両許可証」の許可番号と、「標識旗」の管理番号を本システム１に登録する。登録の際は、図４および図５に示される「人員許可証／車両許可証／標識旗マスタ」を管理ＰＣ２により起動して本システム１に登録する。なお、登録される情報は全てクラウドサーバ１００内のデータベースに格納される。
【００３１】
（３−二次元コードの印刷・貼付Ｓ１２０）
前述した入場者、車両／機械、立入許可証のシステム登録（Ｓ１１０）が終了すると、本システム１に登録された各入場者、各車両／機械、各人員許可証、各車両許可証、各標識旗のそれぞれに対応する二次元コードが本システム１のプログラムにより生成され、同時にクラウドサーバ１００内のデータベースに格納される。そして、管理ＰＣ２の印刷機能を起動することにより、コード印字装置４から二次元コードを含む各種情報が印字された二次元コードシールが印刷される。
【００３２】
図８には、本実施例における上記二次元コードシールの形態が示されている。本システム１に登録された各入場者に対応して印刷される入場者コードシール２０には、二次元コード３３と所属会社名３０、氏名３１、本システム１の運用管理会社名３２、識別番号３４が印字されており、印刷された入場者コードシール２０は、紙媒体に貼付されて所属会社ごとにファイリングされて現場事務所に保管される。
【００３３】
また、本システム１に登録された各車両／機械４１に対応して印刷される車両／機械コードシール２１には、二次元コード３３とともに当該車両／機械４１の使用者（管理会社）名と登録番号（ナンバー）３５が印字されている。当該車両／機械コードシール２１は、図９（ｂ）に示されるように、車両／機械４１を外部から容易に識別できるように車両／機械前方に掲示された工事車両識別票４２に貼付される。
【００３４】
本システム１に登録された各人員許可証４０に対応して印刷される人員許可証コードシール２２には、二次元コード３３とともに人員許可証４０の許可番号３６が印字されている。当該人員許可証コードシール２２は、立入制限区域の管理者から承認される人員許可証４０が腕章タイプまたはカードタイプの場合、図９（ａ）に示されるように腕章表面やカード裏面等に貼付される。
【００３５】
また、本システム１に登録された各車両許可証４３に対応して印刷される車両許可証コードシール２３には、二次元コード３３とともに車両許可証４３の許可番号３７が印字されており、印刷された車両許可証コードシール２３は、図９（ｂ）に示されるように、立入制限区域の管理者から承認され、車両／機械４１の前方に掲示される車両許可証４３の裏面等に貼付される。
【００３６】
さらに、本システム１に登録された各標識旗４４に対応して印刷される標識旗コードシール２４には、二次元コード３３とともに標識旗の管理番号３８が印字されており、印刷された標識旗コードシール２４は、図９（ｃ）に示されるように、立入制限区域の管理者から承認された標識旗４４の旗竿に貼付される。
【００３７】
（４−入場前連結登録管理（立入許可証出庫管理）Ｓ１３０）
続いて、作業現場での作業前に日々行われる、立入制限区域内への入場者および入場する車両／機械４１の本システム１への登録方法について説明する。日々、立入制限区域に入場する入場者および入場する車両／機械４１は現場事務所に立ち寄り、本システム１に対して連結登録が行われる。当該連結登録は、現場事務所に配置された管理タブレット端末５を使用し、入場者と人員許可証４０の紐付けや、入場する車両／機械４１の運転者と、車両／機械４１、車両許可証４３、人員許可証４０および標識旗４４の紐付けを行うものである。
【００３８】
すなわち、図６および図７に示されるように、管理タブレット端末５の業務選択メニューから入場前連結登録機能を起動し、現場事務所にファイリングして保管されている該当する入場者の入場者コードシール２０を管理タブレット端末５に接続されたコードスキャナで読み取る。続いて、当該入場者に配布する人員許可証４０に貼付された人員許可証コードシール２２をコードスキャナで読み取って本システム１に登録する。これにより日々、入場者と人員許可証４０とが連結されてクラウドサーバ１００内のデータベースに格納される。
【００３９】
また、入場者である運転手と車両／機械４１が入場する場合は、前述の入場者コードシール２０および人員許可証コードシール２２のコードスキャナによる読み取りに加え、当該車両／機械４１前方に掲示される工事車両識別票４２に貼付された車両／機械コードシール２１、当該車両／機械４１前方に掲示される車両許可証４３に貼付された車両許可証コードシール２３および標識旗４４の旗竿に貼付された標識旗コードシール２４を順次コードスキャナにより読み取る。これにより日々、運転手と車両／機械４１、人員許可証４０、車両許可証４３、標識旗４４が連結されてクラウドサーバ１００内のデータベースに格納される。
【００４０】
（５−ゲート入場管理Ｓ１４０）
現場事務所で入場前連結登録（Ｓ１３０）が完了し、立入許可証等の配布を受けた入場者（運転手含む）および車両／機械４１は、立入制限区域の入退場ゲートに向い、入退場ゲートに配置されている警備員の立入許可確認を受ける。警備員は図６および図７に示されるように、所持するゲートタブレット端末６の業務選択メニューからゲート入場管理機能を起動し、ゲートタブレット端末６に接続されたコードスキャナによって入場者（運転手含む）が所持する人員許可証４０に貼付された人員許可証コードシール２２の二次元コード３３を読み取る。
【００４１】
人員許可証コードシール２２の二次元コード３３の読み取が行われると、クラウドサーバ１００から前述の入場前連結登録の登録状況がゲートタブレット端末６送られ、当該ゲートタブレット端末６の表示画面に表示される。当該表示画面には、図１１（ａ）に示された連結登録時の表示画面と同様、入場者の顔画像および人員許可証４０の許可番号、氏名、所属会社、年齢の情報に加え、入場者が車両／機械４１の運転手の場合は、車両／機械４１に関する情報が表示されるので、警備員は入場者本人の顔を照合するとともに、車両／機械４１の登録番号（ナンバー）を照合する。この照合確認により、入場者の成りすましや、登録されていない車両／機械４１が立入制限区域内に侵入することを未然に防ぐことが可能となる。警備員の照合確認の結果、連結登録情報との一致確認ができた場合は、ゲートタブレット端末６にて入場確認操作が行われ、クラウドサーバ１００に入場時間等の情報が送信されて格納される。
【００４２】
（６−入退場管理状況確認Ｓ１５０）
本実施例では、作業現場の現場監督者等が現場タブレット端末７を所持しており、図６および図７に示されるように、現場タブレット端末７の業務選択メニューから入退場管理状況確認機能を起動することによって、適時、入場者や車両／機械４１の入退場状況一覧を確認したり、連結登録者数や入場者数、入場者や車両／機械４１の情報を照会することができる。
【００４３】
（７−ゲート退場管理Ｓ１６０）
作業現場での作業が終了して立入制限区域を退場する入場者や車両／機械４１、または、資材の搬入・搬出のために立入制限区域を途中退場する入場者や車両機械４１は、立入制限区域の入退場ゲートに向い、入退場ゲートに配置されている警備員の退場確認を受ける。警備員は図６および図７に示されるように、所持するゲートタブレット端末６の業務選択メニューからゲート退場管理機能を起動し、ゲートタブレット端末６に接続されたコードスキャナによって人員許可証４０に貼付された人員許可証コードシール２２の二次元コード３３を読み取る。
【００４４】
人員許可証コードシール２２の二次元コード３３の読み取が行われると、クラウドサーバ１００から前述の入場前連結登録の登録状況および入場履歴情報がゲートタブレット端末６に送られ、当該ゲートタブレット端末６の表示画面に表示される。当該表示画面には入場時と同様、入場者の顔画像および人員許可証４０の許可番号、氏名、所属会社、年齢の情報に加え、入場者が車両／機械４１の運転手の場合は、車両／機械４１に関する情報が表示されるので、警備員は入場者本人の顔を照合するとともに、車両／機械４１の登録番号（ナンバー）を照合する。この照合確認により、入場者が作業現場内で人員許可証４０の貸し借りを行ったり、入場時とは異なる車両／機械４１を持ち出そうとする不正行為を未然に防ぐことが可能となる。警備員の照合確認の結果、連結登録情報との一致確認ができた場合は、ゲートタブレット端末６にて退場確認操作が行われ、クラウドサーバ１００に退場時間等の情報が送信されて格納される。
【００４５】
（８−退場後連結解除管理（立入許可証等入庫管理）Ｓ１７０）
当日の作業現場での作業を終えて入退場ゲートから退場した入場者および車両／機械は現場事務所に戻り、本システム１における連結登録の解除が行われる。連結登録の解除は現場事務所に配置される管理タブレット端末５を使用し、入場前に行われた入場者と人員許可証４０の紐付けや、入場する車両／機械４１の運転者と、車両／機械４１、車両許可証４３、人員許可証４０および標識旗４４の紐付けを解除するものである。
【００４６】
すなわち、図６および図７に示されるように、管理タブレット端末５の業務選択メニューから退場後連結解除機能を起動し、入場者に人員許可証４０、車両許可証４３および標識旗４４を返却させるとともに、当該人員許可証４０、車両許可証４３および標識旗４４に貼付された人員許可証コードシール２２、車両許可証コードシール２３および標識旗コードシール２４および工事車両識別票４２に貼付された車両／機械コードシール２１を管理タブレット端末５に接続されたコードスキャナで読み取り、連結登録の解除操作を行うことによって、クラウドサーバ１００内のデータベースに連結登録の解除および解除時間等の情報が格納される。これにより、立入制限区域内に残っている入場者および車両／機械４１を確実に把握できる。とともに、入場者に貸与した立入許可証の返却管理を確実に行うことができる。
【００４７】
（９−管理帳票出力（印刷）Ｓ１８０）
管理ＰＣ２は、図４および図５に示されるように印刷機能を有しており、図２のＳ１１０で本システム１に登録を行った入場者や車両／機械４１の一覧表等を出力・印刷する機能を有している。また、立入制限区域の管理者から承認された人員許可証４０、車両許可証４３および標識旗４４の情報を一覧表で出力・印刷する機能を有している。さらに、適時、入場者や車両／機械４１の一覧表を出力・印刷する機能を有しており、日々作業の終了時などに管理帳票として入退場時間等の情報を一覧形式で出力・印刷することができる。
【００４８】
（管理ＰＣ、タブレット端末のその他の機能）
以下では、本システム１における管理ＰＣ２および各タブレット端末の他の機能について説明する。
【００４９】
段落００４３で前述したように、現場タブレット端末７にて入退場管理状況確認機能を起動することによって、適時、入場者や車両／機械４１の入退場状況一覧を確認できるが、本システム１では、現場事務所に設置された管理ＰＣ２および他の管理タブレット端末５、ゲートタブレット端末６においても入退場管理状況確認機能を有しており、例えば、管理ＰＣ２のメインメニューにおいて入退場管理機能を起動して入退場状況一覧を選択することで、その時点における入退場状況（連結登録情報／ゲ−ト入退場情報／立入許可証等の出入庫情報）を参照することが可能である。
【００５０】
また各タブレット端末は、現場事務所で保管管理している立入許可証等（人員許可証／車両許可証／標識旗）の持ち出しを管理する機能も有している。すなわち、資材運搬車両など、その日のうちにゲ−トを繰り返し入退場する車両に対して、入退場ゲ−トにおいて入退場時の連結登録／解除および立入許可証等（人員許可証／車両許可証／標識旗）の配布、回収を行う場合に対応し、現場事務所から持ち出した上記立入許可証等（人員許可証／車両許可証／標識旗）の出庫管理および入庫管理を行う機能である。具体的には、図６および図７に示されるように、タブレット端末の業務選択メニューから許可証・標識旗出入庫管理機能を起動して出入庫管理が行われる。このような機能により、資材運搬車両など、繰り返し入退場する車両が入退場の都度現場事務所に立ち寄る必要が無くなり、効率的に入退場管理を行うことが可能となる。
【００５１】
（タブレット端末の操作概要）
図１０〜１４には、本システム１における管理タブレット端末５の表示画面の一例が示されている。図１１（ａ）には、入場者である運転手が、車両／機械４１、人員許可証４０、車両許可証４３および標識旗４４と連結登録された状態の表示態様が示されている。
【００５２】
表示画面の左側には、連結登録の種類などを選択する連結登録設定タブ５０が表示されており、「クリア」タブは入力情報を消去する際に使用され、「一覧」タブは連結登録された入場者等の一覧表を表示する際に使用される。また、「人員」タブは入場者と人員許可証４０とを連結登録する際に使用され、「運転手」タブは運転手と車両／機械４１、車両許可証４３および標識旗４４を連結登録する際に使用される。また、「留置」は、建設機械などの作業現場内に所定期間留め置かれる車両／機械４１を、車両許可証４３および標識旗４４と連結登録する際に使用される。
【００５３】
さらに、管理タブレット端末５の表示画面には、連結登録時の入力モードや状態／指示メッセージが表示されるステータス情報表示エリア５１と、立入制限区域の管理者から承認された人員許可証４０の許可番号が表示される人員許可番号表示エリア５５と、入場者の氏名や所属会社、年齢が表示される入場者情報表示エリア５６と、車両／機械４１の登録番号（ナンバー）や車両／機械４１の使用者（管理会社）名、車両／機械の種別、立入制限区域の管理者に承認された車両許可証４３の許可番号、標識旗４４の管理番号等が表示される車両／機械等情報表示エリア５９と、入場者の顔画像が表示される顔画像表示エリア５８と、コードスキャナによって二次元コードを読み取る際に使用されるスキャンタブ５３と、連結登録管理の他、入退場管理に係る業務を選択する際に使用される業務選択タブ５４と、現在実行中の業務を表示する選択業務表示エリア５２と、本システム１に登録処理が実行された時間（時刻）を表示する登録時間表示エリア５７とが表示されている。
【００５４】
図１２および図１３には、入場者である運転手を本システム１に連結登録する際の表示画面の状態遷移図が示されている。業務選択タブ５４をタッチして連結登録管理画面が表示されたら、連結登録設定タブ５０の「運転手」タブをタッチする。すると、図１２（ａ）に示されるように、ステータス情報表示エリア５１に二次元コードの読み取りを指示する内容の表示が現われる。
【００５５】
上記指示に従って、図１１（ｂ）に示される入場者コードシール２０をコードスキャナで読み取る。これにより、図１２（ｂ）に示されるように入場者情報表示エリア５６に入場者の氏名、年齢、所属会社、顔画像が表示される。
【００５６】
そして、図１２（ｂ）に示されるように、引き続きステータス情報表示エリア５１の指示表示に従って、図１１（ｂ）に示される、人員許可証４０に貼付された人員許可証コードシール２２、車両／機械４１前方に掲示される工事車両識別票４２に貼付された車両／機械コードシール２１、車両許可証４３に貼付された車両許可証コードシール２３および標識旗４４の旗竿に貼付された標識旗コードシール２４を順次コードスキャナにより読み取る。これによって、クラウドサーバ１００内のデータベースに各情報が連結登録され、図１３（ａ）に示されるように登録完了メッセージがステータス情報表示エリア５１に表示される。
【００５７】
なお、図１３（ｂ）には、前述した退場後連結解除作業が完了したときの画面表示態様が示されており、ステータス情報表示エリア５１に連結登録を解除した旨のメッセージが表示されている。
【００５８】
管理ＰＣ２および各タブレット端末において情報の一覧表示が行われることは段落００５０等で説明したとおりであるが、図１４には、各タブレット端末において、図１３（ａ）等に示される「一覧」タブを操作し、連結登録された入場者等の検索結果を一覧表示した表示態様が示されている。当該一覧表示画面には、所属会社を選択する所属会社選択タブ６１と、本システム１への登録状態を選択する登録状態選択タブ６０と、各検索条件にもとづいて検索実行を行う検索実行タブ６２と、検索結果表示エリア６４と、連結登録者等の総数を表示する登録者総数表示エリア６５と、検索時点における立入制限区域への入場者総数を表示する入場者総数表示エリア６６と、表示状態のバックを実行する戻るタブ６３とが表示されている。
【００５９】
図１４に示されるように、入場前連結登録によって入場者と紐付けされた車両／機械４１、人員許可証４０、車両許可証４３、標識旗４４の情報が一目して判るように表示されている。また、表示態様を図示していないが、登録状態選択タブ６０において入場状態を選択して検索実行タブ６２を操作すると、現時点での入場者等一覧が表示される。さらに、所属会社選択タブ６１によって特定の所属会社を選択することによって、特定の所属会社の入場者等を一覧表示することも可能である。
【００６０】
（他の実施形態）
本発明に係る立入制限区域の入退場管理システムの実施例については上記したとおりであるが、本発明の実施形態は必ずしも上記実施例に限定されるものではない。
【００６１】
例えば、上記実施例では空港の立入制限区域における実施の態様について記載したが、空港の立入制限区域や建設現場等に限らず、関係者以外の立ち入りを制限する必要のある様々な区域の入退場管理に適用することが可能であり、人員のみならず、入退場する車両等に対しても確実に管理することが可能となる。さらに、各種許可証だけでなく、その他の貸与物品の出入庫管理を併せて行うことが可能である。
【００６２】
また、上記実施例では、立入制限区域の管理者が承認した立入許可証等に二次元コードが印刷された各コードシールを貼付しているが、現場事務所が立入許可証を発行する場合には、予め当該立入許可証に二次元コードを印刷するようにしてもよい。
【００６３】
また、上記実施例では、空港の立入制限区域への入退場管理を現場事務所が行う例を示したが、当該入退場管理を現場事務所が行わない場合（事業主側で実施）は、図３に示されるように、作業現場内への入退場管理システムとして本システム１を適用することが可能である。
【００６４】
また、上記実施例ではクラウドサーバ１００によって情報の管理等を行っているが、建設現場単位のネットワーク内にサーバを設け、各タブレット端末を無線ＬＡＮ等によって接続することも可能である。
【００６５】
上記実施例では、各タブレット端末に有線または無線で接続されたコードスキャナを使用して二次元コードを読み取っているが、当該タブレット端末に搭載されたカメラまたはスキャナによって二次元コードを読み取るようにしてもよい。
【００６６】
上記実施例では、二次元コードによる管理方法について記載したが、バーコード等の一次元コードの使用を必ずしも排除するものではない。ただし、印字スペースや情報の読み取り性能の面で、二次元コードを使用する方が好ましい。
【００６７】
上記実施例では、入場者の所属会社、氏名、生年月日、顔写真を本システム１に登録したが、さらに性別、緊急時連絡事項（住所・電話番号・血液型など）、持病などの任意情報を登録し、各タブレット端末で表示するようにしてもよい。このような構成によれば、作業現場における緊急時の対応が可能となる。
【００６８】
上記実施例では、現場タブレット端末７にコードスキャナを備えない構成としていたが、コードスキャナを設けるようにしてもよく、このようにすることで、入場者が携帯する人員許可証４０に貼付された人員許可証コードシール２２を読み取って、即座に入場者の登録情報を確認することが可能となる。
【００６９】
上記実施例では、入場ゲートと退場ゲートとを共通の入退場ゲートとしているが、これに限られず、入場ゲートと退場ゲートが別個に設けられていてもよく、さらに、入退場ゲートと入場ゲートおよび退場ゲートが混在していてもよい。また、入退場ゲートが複数設けられている場合であっても、本システム１はクラウドサーバ１００にて一元管理されているので、問題なく運用することが可能である。
【００７０】
また、本システム１に立入許可証等の紛失・破損申請承認機能を付加し、管理ＰＣ２および各タブレット端末にて紛失または破損した立入許可証等の申請や承認、再発行手続きを行うことも可能である。例えば、入場者が作業現場で人員許可証４０を紛失した場合、入退場ゲートにおいて警備員は入場者が申告する所属会社や氏名にもとづいて本人確認を行い、ゲートタブレット６に表示された顔画像と入場者本人との照合を行うとともに、紛失・破損申請操作を行って一旦退場を許可することが可能となる。そして、管理ＰＣ２側では、紛失・破損申請の内容を確認して立入許可証等の再発行手続きを行うことが可能となる。
【００７１】
以上、本発明の様々な実施形態について図面にもとづいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。また、上記実施例に記載された具体的な入力情報等は本発明の課題を解決する範囲において、変更が可能である。
【符号の説明】
【００７２】
１      入退場管理システム
２      管理ＰＣ
４      コード印字装置
５      管理タブレット端末
６      ゲートタブレット端末
２０    入場者コードシール
２２    人員許可証コードシール
３３    二次元コード
３６    人員許可証の許可番号
１００  クラウドサーバ
【図１】
2019023841.tif 000003
【図２】
2019023841.tif 000004
【図３】
2019023841.tif 000005
【図４】
2019023841.tif 000006
【図５】
2019023841.tif 000007
【図６】
2019023841.tif 000008
【図７】
2019023841.tif 000009
【図８】
2019023841.tif 000010
【図９】
2019023841.tif 000011
【図１０】
2019023841.tif 000012
【図１１】
2019023841.tif 000013
【図１２】
2019023841.tif 000014
【図１３】
2019023841.tif 000015
【図１４】
2019023841.tif 000016
【図１５】
2019023841.tif 000017